(57)【要約】【課題】フィルタユニットを、ガスケットの損傷及び剥がれを生じさせることなく、筐体内の所定の位置に取り付けること。【解決手段】本発明のフィルタ装置は、フィルタ１７を支持する枠体１５の一方の開口縁に装着されたガスケット１９を有するフィルタユニット７と、このフィルタユニット７を収納する筐体５とを備え、フィルタユニット７を筐体５の側面側から挿入して筐体５内の空気の流通開口の周縁部にガスケット１９を介してフィルタユニット７を支持するものであり、フィルタユニット７の挿入方向の両側に延在して設けられる二つの案内部材１１には、枠体１５の両側面から突出する摺動部材９が摺動する摺動面２７が形成され、この摺動面２７は、フィルタユニット７の挿入方向で高さが減少するとともに、フィルタユニットの前進端位置でガスケット１９が流通開口の周縁部に接するように形成されている。【選択図】図１
2008073568.tif 000002
【特許請求の範囲】
【請求項１】
フィルタを支持する枠体と該枠体の一方の開口縁に装着されたガスケットとを有するフィルタユニットと、該フィルタユニットを収納する筐体とを備え、前記フィルタユニットを前記筐体の側面側から挿入して前記筐体内の空気の流通開口の周縁部に前記ガスケットを介して前記フィルタユニットを支持するフィルタ装置において、
前記フィルタユニットの挿入方向の両側に延在して設けられる二つの案内部材を有し、該案内部材には、前記枠体の両側面から突出する摺動部材が摺動する摺動面が形成され、該摺動面は、前記フィルタユニットの挿入方向で高さが減少するとともに、前記フィルタユニットの前進端位置で前記ガスケットが前記流通開口の周縁部に接するように形成されることを特徴とするフィルタ装置。
【請求項２】
前記案内部材は、前記流通開口に向かって前記摺動面の高さが段階的又は連続的に低くなることを特徴とする請求項１に記載のフィルタ装置。
【発明の詳細な説明】
【技術分野】
【０００１】
本発明は、フィルタ装置に係り、特に、高性能フィルタを収納するフィルタユニットを筐体内の所定位置に取り付けるためのフィルタ取付構造に関する。
【背景技術】
【０００２】
従来から、クリーンルーム等の室内空気を除塵又は除菌する装置として、高性能フィルタ（ＨＥＰＡフィルタともいう）を収納したフィルタ装置が知られている。このフィルタ装置は、例えば、高性能フィルタを枠体内に支持したフィルタユニットを筐体側面の開口部から挿入し、その枠体の一方の開口縁に装着されたガスケットを介して空気の流通開口の周縁部に密着させて支持するようになっている。
【０００３】
ところで、高性能フィルタを有するフィルタユニットは、その重量や大きさによっては、筐体内への取付作業に複数の人員を要することがある。また、例えばフィルタ装置を室内エアコンと接続し、エアコン本体の上部に取り付けて用いる場合、フィルタユニットの取付作業は高所で行われ、作業体勢が不安定となりやすいことから、取付作業には熟練度が要求される。特に、フィルタユニットのガスケットはゴムや樹脂などで形成されるため、フィルタユニットの挿入の途中でガスケットが筐体内の設置面等に接触したり突起物に引っ掛かると、損傷や剥がれを生じ易く、空気の漏洩の原因となる。
【０００４】
このため、筐体側面の開口部からガイドレールに沿ってフィルタユニットを所定位置まで挿入し、昇降装置によって空気流路の仕切り枠を下降させ、フィルタユニットの枠体の上方の開口縁にガスケットを介して圧接するようにしたフィルタ装置が開示されている（特許文献１参照。）。これによれば、フィルタユニットの取付作業において、フィルタユニットは、ガスケットを上方に向けてガイドレールに沿って挿入できるため、ガスケットの損傷や剥がれを抑制できる。
【０００５】
【特許文献１】特公平５−１６２８２号公報
【発明の開示】
【発明が解決しようとする課題】
【０００６】
しかしながら、特許文献１によれば、例えば、吊りボルト構造等を筐体内に収納する必要があることから、所定の設置スペースが必要になる。また構造が複雑になることから、製品コストが高くなることも懸念される。
【０００７】
これに対し、フィルタユニットを分割して軽量化する方法も考えられるが、例えば、フィルタ装置が接続されるエアコンの大きさに応じて、フィルタユニットを取り付ける際の作業空間も制限されることから、かえって作業負担が増すおそれがある。
【０００８】
本発明は、簡単な構成で、フィルタユニットをガスケットの損傷及び剥がれを生じさせることなく、筐体内に取り付けることができるフィルタ装置を提供することを課題とする。
【課題を解決するための手段】
【０００９】
本発明は、上記課題を解決するため、フィルタエレメントを支持する枠体と該枠体の一方の開口縁に装着されたガスケットとを有するフィルタユニットと、このフィルタユニットを収納する筐体とを備え、フィルタユニットを筐体の側面側から挿入して筐体内の空気の流通開口の周縁部にガスケットを介してフィルタユニットを支持するフィルタ装置において、フィルタユニットの挿入方向の両側に延在して設けられる二つの案内部材を有し、この案内部材には、枠体の両側面から突出する摺動部材が摺動する摺動面が形成され、この摺動面は、フィルタユニットの挿入方向で高さが減少するとともに、フィルタユニットの前進端位置でガスケットが流通開口の周縁部に接するように形成されることを特徴としている。
【００１０】
すなわち、フィルタユニットは、摺動部材を介して案内部材の摺動面に支持されることにより、流通開口の周縁部の高さからガスケットが浮いた状態で筐体内を移動する。そして、摺動面はその高さが次第に低くなり、フィルタユニットが設置される所定の位置となる流通開口の周縁部に達したとき、ガスケットは設置面と当接し、フィルタユニットが設置される。
【００１１】
本発明によれば、フィルタユニットが筐体内の所定の設置位置まで移動する間、ガスケットが設置面などに接触することがないため、ガスケットの損傷や剥がれなどを防止できる。また、この構成によれば、作業が簡単になるだけでなく、例えば、従来のフィルタ装置のフィルタユニットに摺動部材を装着し、筐体内に案内部材を取り付けるだけでよいため、構成が簡単になり、経済的である。
【００１２】
この場合において、案内部材は、例えば、流通開口に向かって摺動面の高さが段階的又は連続的に低くなるように形成することができる。
【発明の効果】
【００１３】
本発明によれば、簡単な構成で、フィルタユニットをガスケットの損傷及び剥がれを生じさせることなく、筐体内の所定位置まで移動させて取り付けることができる。
【発明を実施するための最良の形態】
【００１４】
以下、本発明を適用してなるフィルタ装置の一実施形態について図を参照して説明する。図１は本発明を適用してなるフィルタ装置の一部を破断して示す斜視図である。図２は本発明を適用してなるフィルタ装置に収納されるフィルタユニットの構成を示し、（ａ）は上面図、（ｂ）は側面図である。図３，図４は本発明を適用してなるフィルタ装置の筐体内をフィルタユニットが移動する状態を説明する側断面図、及び正面図である。図５はフィルタユニットの一部の摺動部材を拡大して示す図である。図６はフィルタ装置にフィルタユニットが収納されて固定された状態を示し、（ａ）は正面図、（ｂ）は側断面図である。
【００１５】
本実施形態のフィルタ装置１は、図１に示すように、ベース面３の上に設置された筐体５と、筐体５に収納されるフィルタユニット７と、フィルタユニット７の側面の摺動部材９が摺動するガイドレール１１を備えて構成される。
【００１６】
筐体５は、一側面にフィルタユニット７が挿入される開口が設けられ、その開口の上部には、清浄化された空気の吹出口となる吹出グリル１３が設けられている。筐体５の開口の内側には、フィルタユニット７が収納される空間と、その上方にフィルタユニット７を通過した空気が流れる空間が設けられている。ベース面３の略中央には、図示しない空気の流通口が設けられている。この流通口は、ベース面３の下側（フィルタ装置の外側）において図示しないエアコンの室内ユニットの吹き出し口と連結される一方、ベース面３の上側（フィルタ装置の内側）にはフィルタユニット７が取り付けられている。また、ベース面３の内部には、流通口の流路を横切るように、図示しないプレフィルタが挿入されている。
【００１７】
フィルタユニット７は、枠体１５の内側に、ガラス繊維等の濾材で形成した帯状の高性能フィルタ１７が密に折り畳んで支持され、枠体１５の開口の一端縁には、ガスケット（パッキン等を含む）１９が装着されている。枠体１５の一側面、つまりフィルタユニット７の挿入方向の手前側の面には、取っ手２１が設けられている。
【００１８】
枠体１５の対向する両側面、つまりフィルタユニット７の挿入方向と直交する面には、摺動部材９が取り付けられている。摺動部材９は、例えば、板材を直角に折り曲げて形成される一方の面（以下、取付面２３という）が、枠体１５の側面に装着され、他方の面（以下、レール面２５という）が、ガイドレール１１に接するようになっている。このレール面２５は、図５に示すように、両端が所定の角度３３で、ガスケット１９の装着側と反対方向に折り曲げて舟型に形成されている。なお、取付面２３は、例えば、スポット溶接により枠体１５に取り付けられている。
【００１９】
ガイドレール１１は、例えば、板材を断面コ字状に折り曲げて形成され、筐体５の開口付近からフィルタユニット７の挿入方向に向かって平行に２本配列されている。ガイドレール１１には、摺動部材９のレール面２５が摺動する案内面２７が形成されている。この案内面２７のベース面３に対する高さは、筐体５の開口からフィルタユニット７の挿入方向に向かって所定距離だけ一定に保たれた後、傾斜して下降し、フィルタユニット７の前進端位置、つまりフィルタユニット７が設置されるベース面３の流通口の周縁部にてガスケット１９が設置面に接するように形成されている。このため、ガイドレール１１は、フィルタユニット７の両側の摺動部材９が案内面２７に接触した状態で、フィルタユニット７が移動しうる間隔に設定されている。
【００２０】
なお、本実施形態では、フィルタユニット７が筐体５内のベース面３に取り付けられる例を説明しているが、これに限定されるものではない。
【００２１】
次に、フィルタユニット７の取り付け及び取り外しに係る動作を説明する。
【００２２】
まず、筐体５内にフィルタユニット７を設置する際は、図３に示すように、開口側からガイドレール１１の案内面２７上に摺動部材９のレール面２５を当接させた状態で、取っ手２１を用いてフィルタユニット７を押し込む。このとき、フィルタユニット７は、摺動部材９を介して両側からガイドレール１１によって支持され、ガスケット１９がベース面３から浮いた状態となっている（図３，４を参照）。フィルタユニット７は、筐体５内に押し込まれることにより、摺動部材９を介して案内面２７に沿って移動し、その後、案内面２７に形成される傾斜面に沿って下降する。
【００２３】
ここで、レール面２５の両端の折り曲げ角度３３は、レール面２５の傾斜角度と一致するようになっている。これによれば、フィルタユニット７は、摺動部材９が案内面２７の傾斜面を下降するとき、後端の折り曲げ面が案内面２７に当接した状態で摺動するため、水平状態を維持して移動することができる。
【００２４】
そして、フィルタユニット７は、前進端位置となる流通開口の周縁部に達したとき、ガスケット１９はベース面３と密着し、フィルタユニット７の移動が停止する（図３の点線）。フィルタユニット７の移動は、例えば、専用のストッパを用いて強制的に静止されることが好ましい。
【００２５】
図６に示すように、フィルタユニット７が移動を完了し、筐体５内に完全に収納されると、フィルタユニット７は、自らの荷重によりガスケット１９が押圧されてベース面３に密着される。これに対し、本実施形態では、例えば、振動などによるフィルタユニット７のずれなどを抑制するとともに、気密性を向上させるため、枠体１５にフィルタ押さえ２９を係止させ、締付ボルト３１を用いてベース板３と締結させるようにしている。これにより、フィルタユニット７の取付安定性を向上させることができる。
【００２６】
一方、筐体５内からフィルタユニット７を取り外す際は、まず、締付ボルト３１を緩めてフィルタ押さえ２９を枠体１５から取り外し、取っ手２１を持ってフィルタユニット７をゆっくりと引き抜くようにする。これにより、ガスケット１９は、ベース面３から再び浮いた状態でガイドレール１１に案内され、筐体５内から取り出すことができる。
【００２７】
以上述べたように、本実施形態によれば、筐体５内を移動するフィルタユニット７は、ガスケット１９がベース面３と接触することなく、筐体５の開口と設置面との間を移動できるため、ガスケット１９に損傷や剥がれを生じさせることなく、フィルタユニット７の取り付け及び取り外しを自在にすることができる。
【００２８】
また、本実施形態によれば、フィルタユニット７の取り付け作業において、摺動部材９をガイドレール１１に取り付けて挿入するだけでよいため、操作が簡単になり、作業性を向上させることができる。
【００２９】
また、本実施形態によれば、例えば、従来のフィルタ装置のフィルタユニットに摺動部材９を装着し、筐体５内にガイドレール１１を取り付けるだけでよいため、構成が簡単になり、経済的である。
【００３０】
また、本実施形態の摺動部材９は、ガイドレール１１の形状などに合わせて、レール面２５の両端の折り曲げ面を除いた面の長手と短手の幅寸法、板厚寸法、レール面２５の折り曲げ角度３３、折り曲げ面の長さ３５、枠体１５におけるレール面２５の位置寸法、取付面２３の寸法などを適宜変更することにより、汎用性を持たせることができる。
【００３１】
さらに、本実施形態の摺動部材９に替えて、例えば、円柱状の突起を枠体１５に取り付けて形成するようにしてもよい。この場合、例えば、ガイドレール１１の対向する側面に円柱状の突起が摺動しうる溝を形成し、これを案内溝とすることもできる。
【図面の簡単な説明】
【００３２】
【図１】本発明を適用してなるフィルタ装置の一部を破断して示す斜視図である。
【図２】本発明を適用してなるフィルタ装置に収納されるフィルタユニットの構成を示し、（ａ）は上面図、（ｂ）は側面図である。
【図３】フィルタ装置の筐体内をフィルタユニットが移動する状態を説明する側断面図である。
【図４】フィルタ装置の筐体内をフィルタユニットが移動する状態を説明する正面図である。
【図５】フィルタユニットの摺動部材を拡大して示す図である。
【図６】フィルタ装置にフィルタユニットが収納されて固定された状態を示し、（ａ）は正面図、（ｂ）は側断面図である。
【符号の説明】
【００３３】
１  フィルタ装置
３  ベース面
５  筐体
７  フィルタユニット
９  摺動部材
１１  ガイドレール
１５  枠体
１７  高性能フィルタ
１９  ガスケット
２３  取付面
２５  レール面
２７  案内面
【図１】
2008073568.tif 000003
【図２】
2008073568.tif 000004
【図３】
2008073568.tif 000005
【図４】
2008073568.tif 000006
【図５】
2008073568.tif 000007
【図６】
2008073568.tif 000008